(57)【要約】【課題】拘束による不快感を緩和すること、着崩れしにくくすること、簡単に着付けができること【解決手段】ひも締めシステムは、後身頃の背面に縫い付けられた背押さえ布と、左右の襟先に縫い付けられた左右の胸ひもをそなえる。背押さえ布は、帯状の布からなり、着用者の背中央に位置して左右対称に横向きに配設され、左右両端部に形成された２つのひも通し輪を備える。背押さえ布の中央の縫い付け部分の横寸法は、着用者の背幅より小さく、身頃肩山の襟肩あき寸法より大きい。胸ひもは、襟合わせをした着用者のアンダーバストの直下に位置する襟先に一端が縫い付けられ、他端は自由端となっておいる。胸ひもは、自由状態の長さの２倍以上の長さに伸びる高ストレッチ性を有する。【選択図】図２
2011084823.tif 000002
【特許請求の範囲】
【請求項１】
後身頃の背面に縫い付けられた背押さえ布と、左右の襟先に縫い付けられた左右の胸ひもにより構成されたひも締めシステムに特徴を有する長襦袢であって、
背押さえ布は、帯状の布からなり、着用者の背中央に位置して左右対称に横向きに配設され、左右両端部に形成された２つのひも通し輪を備え、
背押さえ布の中央の縫い付け部分の横寸法は、着用者の背幅より小さく、身頃肩山の襟肩あき寸法より大きく、
胸ひもは、襟合わせをした着用者のアンダーバストの直下に位置する襟先に一端が縫い付けられ、他端は自由端となっており、
胸ひもは、自由状態の長さの２倍以上の長さに伸びる高ストレッチ性を有し、
下前側の胸ひもは、上前側の身八つ口を通し、かつ、背押さえ布の上前側のひも通し輪を通して胸前に引き出され、
上前側の胸ひもは、背押さえ布の下前側のひも通し輪を通して胸前に引き出され、
引き出された２つの胸ひもは、胸前で結ばれる
ひも締めシステムに特徴を有する長襦袢。
【請求項２】
胸ひもは、高ストレッチ性の包帯を２枚重ねして袋縫いされたものである
請求項１に記載のひも締めシステムに特徴を有する長襦袢。
【発明の詳細な説明】
【技術分野】
【０００１】
この発明は、和服の着付け技術の改良に関するもので、とくに、拘束による不快感の緩和、着崩れの抑制、着付けの容易化などを意図したひも締めシステムに特徴を有する長襦袢に関するものである。
【背景技術】
【０００２】
我が国の伝統的なきもの文化を継承するとともに現代の生活に適合した進化を遂げるべく、多くの人が和服の着付け技術の改良にとり組んでいる。改良の主要なポイントは、拘束による不快感を緩和すること、着崩れしにくくすること、簡単に着付けができることなどである。
【０００３】
和服を美しく着付けるには、長襦袢の着け方がきわめて重要であり、長襦袢をきれいに着ければ着付けは半分成功したも同然だといえる。長襦袢の着付けに関する改良技術については、特開２００９−４１１５５号公報、特開２００８−２９７６５０号公報、特開２００５−２４０２２６号公報、特開２００５−１２０５２０号公報、特開２００３−３０６８０８号公報、特開２００２−２８５４０２号公報、実用新案登録第３１３８３８４号公報、実用新案登録第３００２００４号公報に記載されているように、いろいろなアイデアがつぎつぎと生み出されている。
【発明の概要】
【発明が解決しようとする課題】
【０００４】
長襦袢の着付けに関する改良のアイデアが種々提案されているものの、多くの人に歓迎されて広く普及するに到った新技術は存在しないのが実情である。古くから普及してきた長襦袢の典型的な着付けについて図１を参照しながら説明する。
【０００５】
図１は長襦袢の背面図である。後身頃の中央の後襟の下側に幅広で縦長の短冊型の力布１が縫い付けられている（力布１は短冊とも呼ばれている）。力布１の下部中央にはひも通し輪２が縫い付けられている。ひも通し輪２は、高さ位置の異なる複数の輪を形成している。
【０００６】
長襦袢をはおり、腕を袖に通し、左右の襟元を合わせて片手でつかみ持ち、もう一方の手で後の力布１の下端を引っぱり、衣紋を抜く（衣紋の抜き加減が重要である）。アンダーバストくらいの位置で上前、下前の端を持って、襟合わせを調節する。襟合わせがずれないように押さえつつ片手で腰ひもをとり、腰幅に合わせて、腰ひもで前を押さえる。後の力布１のひも通し輪２に腰ひもを通して交差させ、前に回す。アンダーバストくらいの位置で、前で腰ひもを２回からげ、端をはさみ込む。その上にだて締めを巻く。
【０００７】
長襦袢ときものの襟合わせを決める腰ひもは、結ばずにからげるのが普通で、しっかり固定しなければいけないところ以外には結び目を作らず、だて締めを巻いてもあたらないようにする。以上が長襦袢の一般的な着用法である（参考文献「主婦の友カルチャーブックス きものと和小物の楽しみ」 株式会社主婦の友社  平成９年１２月１日）。
【０００８】
この着用法においては、きれいに衣紋を抜くことが難しいという問題がある。力布１を引っぱり過ぎると、後身頃の中心が強く引っぱられるために後襟がＶの字に変形してしまい、美しい形にならない。かといって力布１を引っぱらないことには、こぶし１つ分くらい衣紋を抜くことができない。衣紋を抜いた後襟がＶの字にならないように美しく自然な形になるようにするには、１人では難しく、補助者に手助けしてもらうことになりがちである。
【０００９】
また、衣紋を抜いた後襟および襟合わせをしっかり固定させようとすると、腰ひもをアンダーバストくらいの位置で強く締めて固定する必要があり、これだけでもかなり苦しく、さらに上からだて締めを巻いて固定すると、コルセットにも匹敵する苦しさとなる。この拘束による不快感を緩和しようとするならば、腰ひもの締めつけを緩めることになり、そうすると着崩れしやすくなる。
【課題を解決するための手段】
【００１０】
この発明は上述した問題点を解決するために創作されたものである。この発明に係る長襦袢は、ひも締めシステムに特徴を有するもので、つぎの事項（１）〜（８）により特定されるものである。  
（１）後身頃の背面に縫い付けられた背押さえ布と、左右の襟先に縫い付けられた左右の胸ひもにより構成されたひも締めシステムに特徴を有する長襦袢であること
（２）背押さえ布は、帯状の布からなり、着用者の背中央に位置して左右対称に横向きに配設され、左右両端部に形成された２つのひも通し輪を備えること
（３）背押さえ布の中央の縫い付け部分の横寸法は、着用者の背幅より小さく、身頃肩山の襟肩あき寸法より大きいこと
（４）胸ひもは、襟合わせをした着用者のアンダーバストの直下に位置する襟先に一端が縫い付けられ、他端は自由端となっていること
（５）胸ひもは、自由状態の長さの２倍以上の長さに伸びる高ストレッチ性を有すること
（６）下前側の胸ひもは、上前側の身八つ口を通し、かつ、背押さえ布の上前側のひも通し輪を通して胸前に引き出されること
（７）上前側の胸ひもは、背押さえ布の下前側のひも通し輪を通して胸前に引き出されること
（８）引き出された２つの胸ひもは、胸前で結ばれること
【図面の簡単な説明】
【００１１】
【図１】従来の典型的な着用法に適用される力布を縫い付けた長襦袢の背面図である。
【図２】この発明の特徴の１つである背押さえ布を縫い付けた長襦袢の背面図である。
【図３】同上背押さえ布の詳細図である。
【図４】この発明の特徴の１つである胸ひもを縫い付けた長襦袢の背面図である。
【図５】この発明に係る長襦袢の着用手順説明図その１である。
【図６】この発明に係る長襦袢の着用手順説明図その２である。
【図７】この発明に係る長襦袢の着用手順説明図その３である。
【発明を実施するための形態】
【００１２】
＝＝＝ひも締めシステムの特徴＝＝＝
この発明に係る長襦袢の特徴の１つは、図２に示すように、後身頃の背面に背押さえ布３を縫い付けている点である。もう１つの特徴は、図４に示すように、左右の襟先にそれぞれ胸ひも４を縫い付けている点である。
【００１３】
＝＝＝背押さえ布３について＝＝＝
部品としての背押さえ布３の詳細を図３に示している。背押さえ布３は、５〜１０センチメートル程度の幅寸法の帯状の布からなり（平絹などの伸びない布）、その両端の５センチメートルほどを折り返して輪３１を形成して縫い付けている。この２つの輪３１が前述したひも通し輪である。背押さえ布３の全長は、左右の輪３１の部分も含めて２５〜３０センチメートルとし、左右の輪３１の部分を除いた中央部分３２の長さが１８〜２３センチメートルである。
【００１４】
背押さえ布３は、図２に示すように、長襦袢の背面に横向きにし、かつ、背中心に対して左右対称に配置され、上記の中央部分３２の全体を後身頃に縫い付けている。背押さえ布３を縫い付ける高さ位置は、長襦袢の肩山から２５センチメートル程度の位置であり、着用者の背のほぼ中央に位置し、着用者のアンダーバストラインを背中側に延長した高さより少し上に位置するのがよい。そして、左右のひも通し輪３１は、着用者の脇の下から背中側に少しまわりこんだところに位置し、着用者が手を伸ばせば容易に手の届く位置にくる。  
要約すると、背押さえ布３の中央の縫い付け部分３２の横寸法は、着用者の背幅より小さく、身頃肩山の襟肩あき寸法より大きくするのが望ましい。
【００１５】
＝＝＝胸ひも４について＝＝＝
胸ひも４は、高ストレッチ性の包帯を用いて製作する。２枚の包帯を重ねて袋帯状に縫製した、いわゆる縫い袋を胸ひも４として用いる。このようにして製作した胸ひも４は、軽く引っぱることで、自由状態の長さの数倍もの長さに簡単に伸びる。  
この実施例における胸ひも４の自由長は約４０センチメートルである。図４に示すように、胸ひも４の一端を長襦袢の襟先に縫い付け、他端は自由端とする。襟に胸ひも４を止着する位置は、襟全長の中心点から左右にそれぞれ４５〜５０センチメートル離れた位置である。すると、着用者が長襦袢をはおって袖に腕を通し、下前と上前を重ねて襟合わせをした状態において、左右の胸ひも４の止着点の位置が、着用者のアンダーバスト位置より５センチメートル程度下になる。
【００１６】
＝＝＝着用手順＝＝＝
この発明に係るひも締めシステムの着用手順はきわめて簡単であり、図５、図６、図７から容易に理解できるであろう。上記のように襟合わせするプロセスにおいて、下前側の胸ひも４を、上前側の身八つ口を通し、かつ、背押さえ布３の上前側のひも通し輪３１を通して胸前に引き出す。上前側の胸ひも４は、背押さえ布３の下前側のひも通し輪３１を通して胸前に引き出す。引き出した２つの胸ひも４を、胸前のアンダーバストの高さ位置で結ぶ。これで長襦袢の着付けが完了である。
【００１７】
＝＝＝発明の効果＝＝＝
（Ａ）背押さえ布３の中央部分３２が、着用者の背幅より小さく、身頃肩山の襟肩あき寸法より大きい領域にわたって後身頃の背面に縫い付けられており、着付けた状態においては、背押さえ布３の両端のひも通し輪３１が高ストレッチ性の胸ひも４の張力により左右方向および下方向に適度に緊張される。これにより背中の中央の大部分にシワを生じることがなく、従来のような面倒なシワ処理が不要となる。また、襟肩あき寸法より大きな領域に縫い付けられた背押さえ布３により後襟の全域がほぼ均等に下方に引かれるので、後襟が緩やかに美しい曲線を形成する理想的な状態で自然に衣紋を抜くことができる。
【００１８】
（Ｂ）胸ひも４が左右の襟先に止着されており、着付けた状態においては、襟先の胸ひも４止着点が高ストレッチ性の胸ひも４の張力により左右方向および下方向に適度に緊張される。この張力により、襟元がちょうどよい具合に重なるとともに、裾すぼまりのシルエットが自然に形成される。
【００１９】
（Ｃ）従来のひも通し輪２（図１）は背中の中心にあるので、腰ひもを輪に通すのに体の柔軟性を要求されたが、この発明においては着用者の左右の脇の下近くにひも通し輪３１があるので、胸ひも４を輪３１に通すのが簡単である。
【００２０】
（Ｄ）高ストレッチ性の胸ひも４の張力が背押さえ布３の左右のひも通し輪３１に固定的に作用してずれることがないとともに、襟先の胸ひも４止着点にも張力が固定的に作用してずれることがない。したがって、美しい着姿（衣紋の抜き・襟合わせ・裾すぼまり）が熟練した技巧を用いずに自然に形成されることに加えて、上記ずれが生じないため着崩れしないのである。
【００２１】
（Ｅ）高ストレッチ性の胸ひも４を用いることにより拘束感がきわめて小さくなる。しかも上記ずれによる着崩れの心配がないので、だて締めを巻く必要がなくなり、だて締めによる拘束を完全になくすことができる。
【符号の説明】
【００２２】
１  力布（短冊）
２  ひも通し輪
３  背押さえ布
３１  ひも通し輪
３２  縫い付け部分
４  胸ひも
【図１】
2011084823.tif 000003
【図２】
2011084823.tif 000004
【図３】
2011084823.tif 000005
【図４】
2011084823.tif 000006
【図５】
2011084823.tif 000007
【図６】
2011084823.tif 000008
【図７】
2011084823.tif 000009